(57)【要約】【課題】養殖漁場において、暗闇であっても支柱の位置や自分の区画を的確に視認することができると共に、蓄光した光がなくなった場合であっても支柱の位置や自分の区画を的確に視認することができる養殖用支柱を提供する。【解決手段】養殖漁場において養殖用具を支持するために基端部分が海底に埋設された養殖用支柱１０であって、当該支柱の頂上近傍に貼着され、自然の光エネルギーを蓄光し当該蓄光した光を発光する蓄光部２と、前記貼着された蓄光部２を少なくとも被覆し、当該蓄光部２を保護する透明シート３とを備える。【選択図】図１
0003146427.tif 000002
【実用新案登録請求の範囲】
【請求項１】
養殖漁場において養殖用具を支持するために基端部分が海底に埋設された養殖用支柱であって、
当該支柱の頂上近傍に貼着され、自然の光エネルギーを蓄光し当該蓄光した光を発光する蓄光部と、
前記貼着された蓄光部を少なくとも被覆し、当該蓄光部を保護する透明シートとを備えることを特徴とする養殖用支柱。
【請求項２】
請求項１に記載の養殖用支柱において、
照射された光を反射する反射シートが配設され、
前記透明シートが、前記蓄光部及び前記反射シートを少なくとも被覆することを特徴とする養殖用支柱。
【請求項３】
請求項２に記載の養殖用支柱において、
前記蓄光部が前記反射シートの一部を被覆して貼着され、
当該蓄光部の表面に複数の切起し部を形成して、当該切起し部における前記反射シートと剥離した面で前記反射シートからの光エネルギーを蓄光することを特徴とする養殖用支柱。
【請求項４】
請求項１ないし３のいずれかに記載の養殖用支柱において、
前記蓄光部が複数に分割されて前記支柱に貼着されることを特徴とする養殖用支柱。
【請求項５】
請求項４に記載の養殖用支柱において、
前記複数に分割された蓄光部が複数の異なる蛍光色で発光することを特徴とする養殖用支柱。
【考案の詳細な説明】
【技術分野】
【０００１】
本考案は、養殖用の用具を支持するための養殖用支柱に関する。
【背景技術】
【０００２】
魚、海苔、牡蠣等の養殖を行う場合に、海に支柱を立てて網やその他の養殖用具を支持することがある。これらの手法では、複数に分けられた区画において、各区画の四隅を含む任意の箇所に支柱を立て、その支柱で養殖用具を支持する場合がある。
【０００３】
しかし、特に海苔等の養殖においては、作業が冬場の夜間や早朝の暗闇の中で行われることも多く、船舶が支柱に衝突したり、自分の区画を瞬時に的確に見極めることが困難な場合がある。そこで、作業の安全性や効率性を高めるために暗闇の中でも支柱の位置や自分の区画を瞬時に且つ的確に見極めるための技術が望まれていた。
【０００４】
特許文献１に示す技術は、照射される光がなくなった後も発光し続ける残光性を有する標示板であり、耐候性を確保しつつ残光性能を向上させることが可能な標示板に関する技術である。
【特許文献１】特開２００６−１６２７９９号公報
【考案の開示】
【考案が解決しようとする課題】
【０００５】
しかしながら、特許文献１に示す技術は養殖向けに開発した技術ではないため、養殖漁場で使用するには不向きな技術である。例えば、標示板であるため側面からの視認性に欠けると共に、支柱を備える構成ではないため蓄光板の周囲全体（６面）を保護する必要があり、接着剤や保護板等の材料を多く消費してしまう。
また、残光量が不足して暗闇で発光しなくなった場合の対策がないため、残光量の全てを消費した場合は、光が照射されるまで発光することができないという課題を有する。
【０００６】
そこで、本考案は上記課題を解決するためになされたものであり、養殖漁場において、暗闇であっても支柱の位置や自分の区画を的確に視認することができると共に、蓄光した光がなくなった場合であっても支柱の位置や自分の区画を的確に視認することができる養殖用支柱を提供することを目的とする。
【課題を解決するための手段】
【０００７】
（１．養殖用支柱）
本願に開示する養殖用支柱は、養殖漁場において養殖用具を支持するために基端部分が海底に埋設された養殖用支柱であって、当該支柱の頂上近傍に貼着され、自然の光エネルギーを蓄光し当該蓄光した光を発光する蓄光部と、前記貼着された蓄光部を少なくとも被覆し、当該蓄光部を保護する透明シートとを備えるものである。
【０００８】
このように、本願に開示する養殖用支柱においては、養殖用具を支持するための養殖用支柱の頂上近傍に自然の光エネルギーを蓄光し当該蓄光した光を発光する蓄光部を備えるため、支柱を明確に視認することができ、夜間の作業であっても支柱に船舶をぶつけるようなことがなくなり、作業を効率的で且つ安全に行うことができるという効果を奏する。
また、支柱の頂上近傍に蓄光部が貼着されるため、潮の干満の影響を受けにくく且つ作業の邪魔になることもなく、作業を効率的に行うことができるという効果を奏する。
【０００９】
さらに、当該蓄光部を少なくとも被覆し、当該蓄光部を保護する透明シートを備えるため、海水による影響を最小限に抑え、蓄光部の劣化を最小限に抑えることができるという効果を奏する。
【００１０】
（２．反射シート）
本願に開示する養殖用支柱は、照射された光を反射する反射シートが配設され、前記透明シートが、前記蓄光部及び前記反射シートを少なくとも被覆するものである。
このように、本願に開示する養殖用支柱においては、照射された光を反射する反射シートが配設されているため、夜間に蓄光した光エネルギーが全て消費された場合であっても船舶のサーチライトや作業者が照射するライトを反射シートで反射させることで支柱を明確に視認することができ、夜間の作業であっても支柱に船舶をぶつけるようなことがなくなり、作業を効率的に行うことができるという効果を奏する。
【００１１】
（３．削剥部の形成）
本願に開示する養殖用支柱は、前記蓄光部が前記反射シートの一部を被覆して貼着され、当該蓄光部の表面に複数の切起し部を形成して、当該切起し部における前記反射シートと剥離した面で前記反射シートからの光エネルギーを蓄光するものである。
このように、本願に開示する養殖用支柱においては、蓄光部が前記反射シートの一部を被覆して貼着され、当該蓄光部の表面に複数の切起し部を形成して、当該切起し部における前記反射シートと剥離した面で前記反射シートからの光エネルギーを蓄光するため、蓄光できる表面積を拡大することができ、蓄光効率を上げて長時間の発光を行うことができるという効果を奏する。
【００１２】
（４．蓄光部の分割）
本願に開示する養殖用支柱は、前記蓄光部が複数に分割されて前記支柱に貼着されるものである。
このように、本願に開示する養殖用支柱においては、蓄光部が複数に分割されて前記支柱に貼着されるため、例えば、区画ごとに蓄光部の分割数を変えることで自分の区画を瞬時に確認することができ、作業者の視認性を向上させることができるという効果を奏する。つまり、蓄光部の分割数を識別情報として機能させることができる。
【００１３】
なお、蓄光部の分割については、所定の大きさの蓄光部に対して分割数を変えて貼着するだけでなく、例えば、蓄光部をテープ状に細く形成し、そのテープの本数を分割数として捉えてもよい。つまり、蓄光部により数が認識できる状態であればよい。
【００１４】
（５．蛍光色）
本願に開示する養殖用支柱は、前記複数に分割された蓄光部が複数の異なる蛍光色で発光するものである。
このように、本願に開示する養殖用支柱においては、複数に分割された蓄光部が複数の異なる蛍光色で発光するため、分割数と蛍光色を組み合わせることで、さらに詳細な識別情報を表現することができ、支柱や区画の管理をより詳細に行うことができるという効果を奏する。
【考案を実施するための最良の形態】
【００１５】
以下、本考案の実施の形態を説明する。本考案は多くの異なる形態で実施可能である。従って、本実施形態の記載内容のみで本考案を解釈すべきではない。また、本実施形態の全体を通して同じ要素には同じ符号を付けている。
【００１６】
（本考案の第１の実施形態）
本実施形態に係る養殖用支柱について図１及び図２を用いて説明する。図１は、本実施形態に係る養殖用支柱の側面図、図２は、本実施形態に係る養殖用支柱の上面図である。
養殖用支柱１０は、基部１と蓄光部２と透明シート３とを備え、基部１の頂上部近傍に、当該基部１の側面全体を覆うようにして蓄光部２が貼着されている。さらに、蓄光部２を全て被覆するように透明シート３が貼着されている。この透明シート３は、熱融着により接合され、透明シート３の内部の気泡を全て取り除き、海水が混入することを防止する保護シートとして機能している。
【００１７】
基部１は海底に支持されて立設されており、満潮時であっても海面５より海上に突き出る長さを有する必要がある。蓄光部２は、蓄光剤粉末を高密度ポリエチレンシートに練り込んで生成されたもので、昼間の自然光を吸収して光エネルギーを蓄光し、夜間の暗闇でその蓄光した光を発光する。透明シート３は熱可塑性を有しており、蓄光部２との熱融着性に優れた素材が用いられる。
【００１８】
蓄光部２を基部１の側面全体を覆うようにして貼着することで、図２に示すように、太陽の位置に応じた様々な方向からの光エネルギーを吸収することで、蓄光効率を上げることができると共に、暗闇の中でどの方向からみても養殖用支柱１０の位置を特定することができる。
【００１９】
なお、図２において、基部１の形状を円柱で示しているが、必ずしも円柱ではなく、多角柱等のように棒状であればよい。
また、図１において、蓄光部２の貼着位置は、満潮時における海面５の位置を考慮して海面上で且つ作業の邪魔にならない位置であればよい。
【００２０】
さらに、透明シート３を熱融着により接合するようにしたが、接着剤による接着であってもよい。その場合は、接着剤が海水の混入を防ぐ保護剤として機能する。
このように、本実施形態に係る養殖用支柱によれば、基部１の頂上近傍に自然の光エネルギーを蓄光し当該蓄光した光を発光する蓄光部２を備えるため、支柱を明確に視認することができ、夜間の作業であっても支柱に船舶をぶつけるようなことがなくなり、作業を効率的で且つ安全に行うことができる。
また、基部１の頂上近傍に蓄光部２が貼着されるため、潮の干満の影響を受けにくく且つ作業の邪魔になることもなく、作業を効率的に行うことができる。
【００２１】
さらに、当該蓄光部２を少なくとも被覆し、当該蓄光部２を保護する透明シート３を備えるため、海水による影響を最小限に抑え、蓄光部２の劣化を最小限に抑えることができる。
【００２２】
（本考案の第２の実施形態）
本実施形態に係る養殖用支柱について図３及び図４を用いて説明する。図３は、本実施形態に係る養殖用支柱の側面図、図４は、本実施形態に係る養殖用支柱の下面図である。
【００２３】
なお、本実施形態に係る養殖用支柱の上面図は、図２と同じである。
また、本実施形態において、第１の実施形態と重複する部分の説明は省略する。
【００２４】
養殖用支柱１０は、基部１と蓄光部２と透明シート３と反射シート４とを備える。第１の実施形態と異なるのは、反射シート４が配設されている点である。この反射シート４は光沢を有する金属シートであり、照射された光を反射する。つまり、昼間は自然光を反射して光を放ち、夜間の暗闇では、船舶のサーチライトや作業者が照射する懐中電灯の光を反射して光を放つ。夜間において、蓄光部２が発光している間は光を照射する必要はないが、もし蓄光していた光を全て消費して、蓄光部２が発光しなくなった場合には、光の照射を行うことで、養殖用支柱１０の位置を正確に確認することができる。
【００２５】
透明シート３は、蓄光部２及び反射シート４の全体を被覆しており、蓄光部２を海水から保護すると共に、反射シート４も保護する。また、図４に示すように、反射シート４を基部１の側面全体を覆うように貼着することで、暗闇の中でどの方向から光を照射しても養殖用支柱１０の位置を特定することができる。
【００２６】
このように、本実施形態に係る養殖用支柱によれば、照射された光を反射する反射シート４が配設されているため、夜間に蓄光した光エネルギーが全て消費された場合であっても船舶のサーチライトや作業者が照射するライトを反射シート４で反射させることで支柱を明確に視認することができ、夜間の作業であっても支柱に船舶をぶつけるようなことがなくなり、作業を効率的に行うことができる。
【００２７】
（本考案の第３の実施形態）
本実施形態に係る養殖用支柱について図５ないし図８を用いて説明する。図５は、本実施形態に係る養殖用支柱の側面図、図６は、本実施形態に係る養殖用支柱の上面図、図７は、本実施形態に係る養殖用支柱の第１の側面拡大図、図８は、本実施形態に係る養殖用支柱の第２の側面拡大図である。
なお、本実施形態において、第１の実施形態又は第２の実施形態と重複する部分の説明は省略する。
【００２８】
図５及び図６において、養殖用支柱１０は、基部１と蓄光部２と透明シート３と反射シート４とを備える。構成要素は第２の実施形態と同様であるが、蓄光部２が反射シート４の一部を被覆するように貼着された積層構造を有する点で異なる。また、蓄光部２は、図７又は図８に示すように表面に複数の切起し部６が形成されており、切起し部６により反射シート４と剥離した面で反射シート４にて反射した光エネルギーを蓄光する構造を有する。切起し部６を形成しない場合は、蓄光部２の表面でしか光エネルギー吸収することができないが、切起し部６を形成することで、蓄光部２の剥離面８で光エネルギー吸収することができるようになる。
【００２９】
図７における切起し部６は、支柱の上部から下部に向かって削剥したような形状を有しており、そのため、剥離面８で上空からの太陽光を直接吸収しやすい構造となっている。図８における切起し部６は、蓄光部２が内側方向から穿孔されることで、開口部７が反射シート４から浮いた状態となっており、その空間により剥離面８が形成されている。そして、開口部７から差し込んだ光は反射シート４で乱反射されて蓄光部２の剥離面８から吸収される。
【００３０】
なお、図７及び図８においては、透明シート３を熱融着により貼着させると、切起し部６が元に戻り剥離した部分が反射シート４に接合してしまう可能性があるため、この場合は、接着剤等の保護剤で気泡を埋めて保護することが望ましい。
【００３１】
また、蓄光部２を貼着させる場合は、反射シート４との接合部に接着剤を塗布し、接合部のみ（切起し部６以外の部分）を圧着することで、圧着された余分な接着剤が圧力により切り起された空間に充填されることで、切起し部６の形状を維持して固定するようにしてもよい。
【００３２】
また、図７及び図８では、蓄光部２の表面に切起し部６を形成したが、反射シート４からの光エネルギーを吸収できる構造であればよい。例えば、蓄光部２の表面を網目にすることで、発光する光を最小限に抑えつつ、光エネルギーの吸収面の表面積を大きくして蓄光効率を高めてもよい。
【００３３】
このように、本実施形態に係る養殖用支柱によれば、蓄光部２が前記反射シート４の一部を被覆して貼着され、当該蓄光部２の表面に複数の切起し部６を形成して、切起し部６の剥離した面で前記反射シート４からの光エネルギーを蓄光するため、蓄光できる表面積を拡大することができ、蓄光効率を上げて長時間の発光を行うことができる。
【００３４】
なお、この養殖用支柱は、後述するように養殖用支柱を補強するための補強支柱としても利用することができる。補強支柱として利用する場合には、支柱が所定の傾斜角度を維持して埋設される場合があるが、このような場合であっても、蓄光効率を上げて長時間の発光を行うことは可能である。
【００３５】
（その他の実施形態）
本実施形態に係る養殖用支柱について図９を用いて説明する。図９は、本実施形態に係る養殖用支柱の蓄光部を複数設けた場合の側面図である。ここでは、第１の実施形態ないし第３の実施形態と重複する部分の説明は省略する。
【００３６】
図９において、蓄光部２が複数のテープ状に分割されており養殖用支柱１０ごとに蓄光部２の本数が異なる。また、蓄光部２が発光する蛍光色が養殖用支柱１０ごとに異なる蛍光色となっている。つまり、蓄光部２の本数や蛍光色の種類により、養殖用支柱１０を識別することができる。
【００３７】
例えば、Ａ区画の養殖用支柱１０は、蓄光部２が１本で蛍光色が青、Ｂ区画の養殖用支柱１０は、蓄光部２が１本で蛍光色が緑というように、養殖用支柱１０ごと又は所定のグループごとに識別情報を変えることで、区画の位置の把握や管理を正確で且つ簡単に行うことができる。また、蓄光部２の本数と蛍光色は、様々に組み合わせることができるため、識別対象が多い場合であっても対応が可能である。
【００３８】
このように、本実施形態に係る養殖用支柱によれば、蓄光部２が複数に分割されて貼着されるため、例えば、区画ごとに蓄光部２の分割数を変えることで自分の区画を瞬時に確認することができ、作業者の視認性を向上させることができる。
【００３９】
また、複数に分割された蓄光部２が複数の異なる蛍光色で発光するため、分割数と蛍光色を組み合わせることで、詳細な識別情報を表現することができ、支柱や区画の管理を詳細に行うことができる。
【００４０】
本実施形態に係る養殖用支柱は、図１０に示すように、当該養殖用支柱を補強するための補強支柱１００としても利用することができる。補強支柱１００は、図１０に示すように、海苔の養殖用支柱１１０を補強する場合に主に利用される。海苔養殖用支柱１１０は、複数に分けられた区画において、各区画の四隅を含む任意の箇所に立てられており、その支柱で海苔網を支持している。補強支柱１００は、海苔養殖用支柱１１０より太い支柱となっており、当該海苔養殖用支柱１１０で支持された海苔網を張設するために各区画の４隅に所定の傾斜角度を維持して埋設される。
【００４１】
つまり、海苔養殖用支柱１１０ではなく補強支柱１００に、前記蓄光部２、透明シート３、及び／又は反射シート４等を備える構成とすることで、夜間の作業であっても海苔養殖場の区画を正確に識別して、作業を効率的に行うと共に、安全性を確保することが可能となる。
【００４２】
なお、上記各実施形態に係る養殖用支柱は、海苔、魚、牡蠣等のあらゆる養殖において適用することが可能である。例えば、海苔の場合には、養殖用支柱により海苔網が支持され、魚の場合には魚を囲い込む網が支持され、牡蠣の場合は採苗用の棚（ホタテ貝の貝殻等）が支持される。
また、養殖用支柱を補強する補強支柱としても適用することが可能である。
【００４３】
以上の前記各実施形態により本考案を説明したが、本考案の技術的範囲は実施形態に記載の範囲には限定されず、これら各実施形態に多様な変更又は改良を加えることが可能である。そして、かような変更又は改良を加えた実施の形態も本考案の技術的範囲に含まれる。このことは、実用新案登録請求の範囲及び課題を解決する手段からも明らかなことである。
【図面の簡単な説明】
【００４４】
【図１】第１の実施形態に係る養殖用支柱の側面図である。
【図２】第１の実施形態に係る養殖用支柱の上面図である。
【図３】第２の実施形態に係る養殖用支柱の側面図である。
【図４】第２の実施形態に係る養殖用支柱の下面図である。
【図５】第３の実施形態に係る養殖用支柱の側面図である。
【図６】第３の実施形態に係る養殖用支柱の上面図である。
【図７】第３の実施形態に係る養殖用支柱の第１の側面拡大図である。
【図８】第３の実施形態に係る養殖用支柱の第２の側面拡大図である。
【図９】その他の実施形態に係る養殖用支柱の蓄光部を複数設けた場合の側面図である。
【図１０】その他の実施形態に係る養殖用支柱の補強支柱としての利用を示す図である。
【符号の説明】
【００４５】
１  基部
２  蓄光部
３  透明シート
４  反射シート
５  海面
６  切起し部
７  開口部
８  剥離面
１０  養殖用支柱
１００  海苔養殖用支柱
１１０  補強支柱
【図１】
0003146427.tif 000003
【図２】
0003146427.tif 000004
【図３】
0003146427.tif 000005
【図４】
0003146427.tif 000006
【図５】
0003146427.tif 000007
【図６】
0003146427.tif 000008
【図７】
0003146427.tif 000009
【図８】
0003146427.tif 000010
【図９】
0003146427.tif 000011
【図１０】
0003146427.tif 000012